【手続補正書】
【提出日】平成17年9月7日(2005.9.7)
【手続補正１】
【補正対象書類名】明細書
【補正対象項目名】全文
【補正方法】変更
【補正の内容】
【書類名】      明細書
【発明の名称】  簡易型腰仙部体幹装具及びその構築方法
【特許請求の範囲】
【請求項１】  支持板本体（１）をズボン部（２）とベルト部（３）に装着して、（１、２、３）の絞扼力による方法からなる人体の腰仙部体幹装具。
【請求項２】  支持板本体（１）を体幹とズボン部（２）の間に装着する方法からなる請求項１記載の腰仙部体幹装具。
【請求項３】  支持板本体（１）をズボン部（２）とベルト部（３）の間に装着する方法からなる請求項１記載の腰仙部体幹装具。
【請求項４】  支持板本体（１）に固着又は着脱可能な取付装置（５）を設けた支持板本体（１）からなる請求項１、２記載の腰仙部体幹装具。
【請求項５】  支持板本体（１）に開口した切込み部分（６）と固着又は着脱可能な取付装置（７）を設けた支持板本体（１）からなる請求項１、３記載の腰仙部体幹装具。
【請求項６】  支持板本体（１）の体幹面に磁気治療に用いる磁性体を配置した支持板本体（１）からなる請求項１乃至５記載の腰仙部体幹装具。
【請求項７】  支持板本体（１）にマイナスイオン発生物質を固着又は融合した支持板本体（１）からなる請求項１乃至５記載の腰仙部体幹装具。
【請求項８】  支持板本体（１）の体幹面に発熱源と熱媒体、又は放熱体を設けた支持板本体（１）からなる請求項１乃至５記載の腰仙部体幹装具。
【発明の詳細な説明】
【０００１】
【発明の属する技術分野】
本発明は、人体の腰仙部を支持する簡易型体幹装具に関する。
【０００２】
【従来の技術】
現行の腰仙部体幹装具は、腹圧を高めて腰仙部の支持安静をはかる腹巻型装具であるのが通例である。そのため、各種の締具が付属する帯状の形態を脱することは難しく、簡易型と謂えども着脱性や質量性の配慮には限界がある。とくに着衣における支障は日常業務における装具の着用を敬遠させる原因となっている。又、腹巻型装具は腰仙椎部への直圧が不備にある以上、帯の絞扼力を強化しても腰部の支持性が増強されるわけではなく、過度の加圧は逆効果で弊害も多い。
【０００３】
【発明が解決しようとする課題】
軽症例や腰部ストレスの軽減に求められる簡易型装具とは日常業務や衣服着用に支障がなく、しかも容易に着脱可能な装具である。又、腰仙部の支持目的とは腰仙椎、椎間部の負荷の減免にあり、斯かる部位の直圧法が重要である。
【０００４】
【課題を解決するための手段】
そこで、本発明は衣服となるズボン部とベルト部に着脱自在な腰部の支持板を取り付け、腹圧を高める締具の作用をベルト部とズボン部に課し、簡体化された支持板装具との三部構成によって一体の体幹装具を構築するものである。直圧法として弾性で復元性を有する支持板は、腰仙椎や椎間板、脊柱起立筋群等の副子として働く。図１は腰仙部の骨格と支持板本体１の基本的な配置を示す参考例である。取付け位置は正中線上の他、各症状に効果的な位置に設定する。
【０００５】
【発明の実施の形態】
ここでいう支持板装具とは支持板本体と支持板本体を衣服に取り付ける装置からなり、支持板本体とは体幹を支持する板状部分である。図２はその基本構造例を示す参考図である。支持板本体をズボン部とベルト部に取り付ける方法には、支持板本体を体幹とズボン部の間に差込んで装着する方法（図３）と、支持板本体をズボン部とベルト部の間に差込んで装着する方法（図４）がある。
【０００６】
図３、図４は、ともに支持板本体をズボン後部中央のベルト通しの位置に装着した基本型を示すものである。支持板本体を衣服に装着する取付装置は、支持板本体に固着する場合と着脱可能な分離独立型の場合があり、図３、４は衣服に装着する取付装置が支持板本体に固着された場合の基本例を示すものである。尚、支持板本体の形状は処方目的に応じて定めるものであり、図例では支持板本体の形状を仮に単層もしくは多層構造の平板の長方形とする。
【０００７】
図３において、支持板装具は腰仙部支持板本体１とズボン部２とベルト部３に装着する挟み金具やフック又はループ等による取付装置からなり、ここではフック式を使用した基本例を示す。図３（ａ）は支持板装具を装着した実施例の正面図であり、（ｂ）は左側面図である。装着方法は、支持板本体１を体幹とズボン部２の間に差込み、取付装置５の溝５ａにズボン部３の上縁、取付装置５の溝５ｂにベルト部３を嵌め込んで支持板本体１を固定する方法である。支持板本体１はベルト通し４及び取付装置５の溝５ａ、溝５ｂにより上下左右に固定される。尚、支持板本体１と取付装置５には支持板本体１の高さが上下移動する調整機構、ベルト３の高低により溝５ｂが上下移動する調整機構、ベルト通し４の幅又は間隔に応じて取付装置５の左右フック部分の間隔が可変する調整機構を設ける場合もある。
【０００８】
図４において、支持板装具は開口した切込み部分６を有する腰仙部支持板本体１と、ズボン部２とベルト部３に装着する挟み金具やフック又はループ等による取付装置７からなり、ここではフックベルト式を使用した基本例を示す。図４（ａ）は支持板装具を装着した実施例の正面図であり、（ｂ）は左側面図である。装着方法は、支持板本体１の切込み６をベルト通し４に合わせ、ズボン部２とベルト部３の間に下方から差込み、フックベルト７ａをベルト３の表面を覆うように折り返して接続部品８によって固定する方法である。支持板本体１はベルト通し４及び取付装置７により上下左右に固定される。また、支持板装具は天地何れの方向にも装着が可能である。尚、支持板本体１と取付装置７には支持板本体１の高さが上下移動する調整機構、ベルト通し４の幅又は間隔に応じて左右のフックベルト部分、切込み６の開口幅が可変する調整機構を設ける場合もある。
【０００９】
支持板本体１を衣服に装着する取付装置が、支持板本体１に着脱可能な分離独立型の場合は、図２や図４のフック型である図５のように左右のフック等が一体化した取付装置を用いて、処方目的に応じた支持板本体の交換も可能である。また、図５のような支持板装具をベルト部のみに取り付け、衣服に独立させて使用する場合は、仙腸バンドとして用いることも可能である。
【００１０】
図６は、支持板本体１の体幹面に磁性体突起９又は球状の磁性体１０を設けた基本例の部分断面図である。つまり、支持板本体１の体幹面に平面又は曲面を有する磁性体を効果的に配列または配置させて組織マッサージに作用させることが可能である。これは腰仙部の支持安静と磁気療法を併用するためのものである。また、支持板本体の体幹面に粘着層を有する医療用磁石を貼付すると、支持板装具が磁気具の腰部用ホルダーとして活用されることになる。
【００１１】
また、空気負イオン、つまりマイナスイオンを発生させる電気石等、支持板本体１にマイナスイオン発生物質を固着又は融合して細胞活性に作用させることが可能である。これは、摩擦や圧迫や歪曲が著しい支持板装具の使用環境下において、摩擦や圧力等の応力によって空気負イオンを発する物質特性を利用するものである。尚、人体の細胞活性への有効性は空気負イオンの発生量による。
【００１２】
図７は、耐熱性基材を用いた図３型の支持板本体１の体幹面に発熱源と熱媒体からなる貼付型の使い捨てカイロ１１を貼付したものである。尚、外部に電源を有して放熱体部分を支持板本体の体幹面に取付ける場合もある。つまり、支持板本体１の体幹面に発熱源と熱媒体、又は放熱体を設けて温熱作用を実施することが可能である。これは腰仙部の支持安静と温熱療法を併用するためのもので、急性腰痛の緩解期や外気の寒冷下において支持板装具が温熱具の腰部用ホルダーとして活用されることになる。
【００１３】
【実施例】
図３ａ、図４ａにおいて支持板装具は、ズボン後部中央のベルト通し４への装着例を示したもので、この場合は腰椎の椎間内圧の軽減、腰椎の前彎矯正や仙腸関節の安定支持に働く。支持板装具を一側腹部又は両側腹部に装着する場合は、腰椎の側屈制限や椎体変位の矯正に働く。また、腰仙部の支持性を増強する際には複数の支持板装具を並列に装着または連結させる場合がある。
【００１４】
【発明の効果】
本発明は、着衣状態において着脱が自在な装具である。装着状態では装具付衣服として、従来のような着衣時や脱衣時における装具の着脱作業は省略される。簡体化された装具は、日常業務に支障が生じない質量性と随時着脱の合理性を提供し、装具の積極的使用を促す。本物品は業務上における下位腰椎へのストレス軽減、とくに腰部損傷の軽症例及び再発予防に適応性を有する。
【００１５】
【図面の簡単な説明】
【図１】
腰仙部の骨格と支持板の基本的な配置を示す参考図である。
【図２】
支持板本体と取付装置の基本構造例を示す参考図である。
【図３】
支持板装具取付部の実施例を示す正面図（ａ）と左側面図（ｂ）である。
【図４】
支持板装具取付部の実施例を示す正面図（ａ）と左側面図（ｂ）である。
【図５】
支持板本体と分離型取付装置の基本構造例を示す参考図である。
【図６】
支持板本体の体幹面に磁性体突起を設けた左側面の部分断面図である。
【図７】
支持板本体の体幹面に使い捨てカイロを貼付した左側面図である。
【符号の説明】
１  支持板本体
２  ズボン部（上縁）
３  ベルト部
４  ベルト通し
５取付装置
５ａ取付装置の溝
５ｂ取付装置の溝
６  支持板本体の切込み部分
７取付装置
７ａ  フックベルト
８  接続部品
９  磁性体突起
１０  磁性体
１１  使い捨てカイロ
【手続補正２】
【補正対象書類名】図面
【補正対象項目名】全図
【補正方法】変更
【補正の内容】
【書類名】      図面
【図１】
2004148060.tif 000001
【図２】
2004148060.tif 000002
【図３】
2004148060.tif 000003
【図４】
2004148060.tif 000004
【図５】
2004148060.tif 000005
【図６】
2004148060.tif 000006
【図７】
2004148060.tif 000007